(57)【要約】      （修正有）【課題】迅速な引き戸の作動を確保することができる機械式自動開閉引き戸装置を提供する。【解決手段】引き戸１上部に吊金具２が設けられ、吊金具２は上吊レール３の上部に空いた隙間から上吊レール３の内部へ入り込み、吊金具２の先端には上磁石４が設けられ、上吊レール３の内部の下側に下磁石５が設けられ、上磁石４と下磁石５は反発する作用をするように配列され、上吊レール３が吊金具２を浮上させ、吊金具２が上吊レール３の内部で動いた場合でも吊金具２が上吊レール３に直接当たらないように上側に上ローラ６、横側に横ローラ７が設けられ、前記構造の吊金具２が引き戸１上部に複数個設けられ、上吊レール３の両端にはショックアブソーバ８が設けられた構成にする。【選択図】図１
0003214545.tif 000002
【実用新案登録請求の範囲】
【請求項１】
引き戸を開閉する装置であって、引き戸上部に吊金具が設けられ、該吊金具は上吊レールに空いた隙間から該上吊レールの内部へ入り込み、該吊金具が該上吊レールの中で摺動可能に該上吊レールに隙間が開けられ、該吊金具には該上吊レールの内部で最も下の位置に上磁石が下向きに設けられ、該上磁石の上に横ローラが横向きに設けられ、該吊金具の一番上に上ローラが上向きに設けられ、前記上吊レールの内部の下側に該上磁石と向い合せの位置に下磁石が設けられ、該下磁石は上向きに設けられ、該上磁石と該下磁石は反発する作用をするように配列され、前記上吊レールが前記吊金具を浮上させ、前記構造の吊金具が引き戸上部に複数個設けられ、前記上吊レールの両端にはショックアブソーバが設けられた機械式自動開閉引き戸装置。
【考案の詳細な説明】
【技術分野】
【０００１】  本考案は、引き戸の作動が迅速な機械式自動開閉引き戸装置に関するものである。
【背景技術】
【０００２】  住居への出入りにバリアフリーとなる自動開閉引き戸装置は強く切望されているが、電動式の自動開閉引き戸装置については、電動機の故障あるいは想定外の使われ方による傷害事故あるいは、停電による装置の停止により信頼性に欠けることから、一般の住宅などでは、電動式と同程度の引き戸の開放速度を持つ、機械式の自動開閉引き戸装置が望まれている。
【先行技術文献】
【０００３】
【特許文献１】実登−３１５１８６１号
【考案の概要】
【考案が解決しようとする課題】
【０００４】  考案が解決しようとする課題は、従来の機械式自動開閉引き戸装置では、引き戸の初期作動時に、引き戸を牽引する力が比較的に低く、引き戸とガイドレールの摩擦による抵抗があり、迅速な引き戸の作動を確保することが困難であり、その使用感に不満がある点である。
【課題を解決するための手段】
【０００５】  本考案はこのような問題を解決するため、機械式自動開閉引き戸装置の引き戸とガイドレールの間に磁石を設け、該磁石の反発する作用で引き戸とガイドレールの摩擦抵抗を少なくすることとした。具体的には、開閉方向へ摺動自在にして吊下支持された引き戸と、閉戸位置にある引き戸の前後位置の床面にそれぞれ配置され、体荷重により所定量の沈下を生じるように構成された踏み板と、該踏み板の沈下量を所定量のストローク量として伝達する伝達機構と、引き戸を吊上げるための吊金具と、吊金具が摺動する上吊レールと、吊金具に設けられた第一の磁石と、前記第一の磁石と反発する作用をする上吊レールに設けられた第二の磁石から構成されていることを特徴とする。【０００６】  また、前記吊金具には、上ローラと、横ローラが設けられ、上吊レール内で吊金具が摺動可能に構成されていることを特徴とする。
【考案の効果】
【０００７】  本考案によれば、機械式自動開閉引き戸装置は、引き戸の全閉状態から全開状態迄の時間を短縮することになり、機械式自動開閉引き戸の利便性を向上することができる。
【図面の簡単な説明】
【０００８】
【図１】  本考案の実施形態における機械式自動開閉引き戸装置の全体図である。
【図２】  本考案の実施形態における踏板のリンク機構の構成図である。
【図３】  本考案の実施形態における吊金具の構成図である。
【考案を実施するための形態】
【０００９】  以下、この考案にかかる好適な実施形態を図面に基づいて説明する。図１において、この考案にかかる機械式自動開閉引き戸装置の実施形態の構成図を示すと、機械式自動開閉引き戸装置は引き戸と吊金具と上吊レールとショックアブソーバと上ローラと横ローラと上磁石と下磁石と傾斜ガイドと駆動ローラとテコと支点支持台と錘と踏板と平行リンク機構とストッパーとベース板を有する。
【実施例１】
【００１０】  引き戸１には上部に吊金具２が設けられ、該吊金具２は上吊レール３の上部に空いた隙間から該上吊レール３の内部へ入り込んでいる。前記吊金具２の先端には上磁石４が設けられ、前記上吊レール３の内部の下側に設けられた下磁石５と反発する作用をし、該上吊レール３が該吊金具２を浮上させている。また、該吊金具２が該上吊レール３の内部で動いた場合でも、該吊金具２が該上吊レール３に直接当たらないように、上側に上ローラ６、横側に横ローラ７が設けられている。【００１１】  前記構造の吊金具２が引き戸１上部に２個設けられ、前記上吊レール３の両端にはショックアブソーバ８が設けられている。該ショックアブソーバ８は引き戸１が勢い良く動き前記吊金具２が該上吊レール３の端に衝突した時の衝撃を軽減する機能を果たす。【００１２】  踏板９は、平行リンク機構を介してベース板１７に結合され、該踏板９の下部には踏板ローラ１０が当接され、該踏板ローラ１０はテコ１１の先端に回転可能に設けられ、該踏板９に人が乗ると該踏板９が下降して該テコ１１を押し下げる。一方、該踏板９の下部の該ベース板１７にはストッパー２３が設けられ、該踏板９が下降した場合に該ストッパー２３に当接して止まる構成になっている。前記テコ１１は、支点支持台１６に回転可能に結合され、該テコ１１のもう一方の先端には錘１３が載せてあり、該テコ１１の該支店支持台結合部と該錘１３の間には該テコ１１から上向きに駆動ローラアーム１４が設けられ、該駆動ローラアーム１４の上側に駆動ローラ１２が回転可能に設けられ、該踏板９に人が乗ることで該駆動ローラ１２が押し上げられる。該駆動ローラ１２は引き戸１の下部に設けられた傾斜ガイド１５に当接しており、該傾斜ガイド１５は引き戸１に対して引き戸１が開く側が下に傾斜して設けられている。従って、前記駆動ローラ１２が押し上げられると、引き戸１が開く方向へ移動する。【００１３】  前記平行リンク機構は、リンクＡ１８の片方が前記踏板９下部に回転可能に結合され、該リンクＡ１８のもう片方にリンクＢ１９の片方とリンクＥ２２の片方が回転可能に結合され、該リンクＢ１９のもう片方が前記ベース板１７に回転可能に結合されている。一方リンクＣ２０の片方が前記踏板９下部に回転可能に結合され、該リンクＣ２０のもう片方にリンクＤ２１の片方と前記リンクＥ２２のもう片方が回転可能に結合され、該リンクＤ２１のもう片方が該ベース板１７に回転可能に結合されている。【００１４】  前記平行リンク機構は、図２で示した機構でも良い。その場合、リンクＦ１０１の片方が踏板１０３下部の片方に回転可能に結合され、該リンクＦ１０１のもう片方がベース板１０４に回転可能に結合されている。更に、リンクＧ１０２の片方が前記踏板１０３下部の片方に回転可能に結合され、該リンクＧ１０２のもう片方が前記ベース板１０４に回転可能に結合されている。この構成によって、前記踏板１０３は該ベース板１０４に対して平行に上下動作可能な構成となる。【００１５】  前記平行リンク機構は、ベース板１０４と踏板１０３が平行に上下する機構であれば構成を限定しない。【００１６】  一方、前記踏板９から人が離れると、前記錘１３の作用で錘側が下がり、該踏板９は���記テコの作用で前記踏板ローラ１０を介して押し上げられる。また、前記駆動ローラ１２が下がり傾斜ガイド１５を押し下げ引き戸１が閉まる方向に移動する。【００１７】  更に、前記吊金具２の構造は重量バランスを中心にする目的で図３に示す構造も考えられる。図３の構造を以下に説明する。【００１８】  引き戸２０１には上部に吊金具２０２が設けられ、該吊金具２０２は上吊レール２０３の下部に空いた隙間から該上吊レール２０３の内部へ入り込んでいる。前記吊金具２０２には、該上吊レール２０３の内部で最も下の位置に該吊金具２０２の前後の中心に対して対称な位置に上磁石２０４が下向きに設けられ、該上磁石２０４の上に該吊金具２０２の前後の中心に対して対称な位置に横ローラ２０７が横向きに設けられ、該吊金具２０２の一番上に該吊金具２０２の前後の中心に対して対称な位置に上ローラ２０６が上向きに設けられている。更に、前記上吊レール２０３の内部の下側に前記上磁石２０４と向い合せの位置に下磁石２０５が設けられ、該下磁石２０５は上向きに設けられ、該上磁石２０４と反発する作用をし、該上吊レール２０３が該吊金具２０２を浮上させている。また、該吊金具２０２が該上吊レール２０３の内部で動いた場合でも、該吊金具２０２が該上吊レール２０３に直接当たらないように、前記上ローラ２０６が該上吊レール２０３の上側に当接し、前記横ローラ２０７が該上吊レール２０３の横側に当接している。【００１９】  なお、本考案は、前記実施形態に限定されるものではなく、本考案の目的を達成できる範囲における構成や形態をも含むものである。
【産業上の利用可能性】
【００２０】  電動機の故障や想定外の使われ方による傷害事故、あるいは停電により停止する電動式自動開閉引き戸装置の代わりに利用される。または、電源の無い場所で利用されるなど、バリアフリーが推し進められる社会で幅広く利用されることが可能であり、本実用新案の産業上の利用可能性は大変大きい。
【符号の説明】
【００２１】  １    引き戸
２    吊金具
３    上吊レール
４    上磁石
５    下磁石
６    上ローラ
７    横ローラ
８    ショックアブソーバ
９    踏板
１０  踏板ローラ
１１  テコ
１２  駆動ローラ
１３  錘
１４  駆動ローラアーム
１５  傾斜ガイド
１６  支点支持台
１７  ベース板
１８  リンクＡ
１９  リンクＢ
２０  リンクＣ
２１  リンクＤ
２２  リンクＥ
２３  ストッパー
１０１  リンクＦ
１０２  リンクＧ
１０３  踏板
１０４  ベース板
１０５  ストッパー
２０１    引き戸
２０２    吊金具
２０３    上吊レール
２０４    上磁石
２０５    下磁石
２０６    上ローラ
２０７    横ローラ
【図１】
0003214545.tif 000003
【図２】
0003214545.tif 000004
【図３】
0003214545.tif 000005